(57)【要約】    【構成】携帯端末１０は、リチウムイオン電池３２を含む。電池残容量検出回路３０は、そのリチウムイオン電池３２の電圧から電池残容量を求める。求められた電池残容量はＲＡＭ２８に記録され、電池残容量を計測したときの時刻および電池残容量を計測したときの携帯端末１０の状態もＲＡＭ２８に記録される。記録された電池残容量および時刻は、電池残容量の時間的変化を示すグラフとして作成され、ＬＣＤモニタ２２に表示される。また、使用者はカーソル（６０）によってグラフ上のポイント（６２）を指定することで、ポイント（６２）で指定する時刻の携帯端末１０の状態をＬＣＤモニタ２２に表示することができる。    【効果】使用者はリチウムイオン電池３２の電池残容量の時間的変化を視覚的に認識できるようになる。これによって、使用者は、携帯端末の使用可能時間を直感的に推測することができる。【選択図】図１
2009112170.tif 000002
【特許請求の範囲】
【請求項１】
電池を電源として用いる携帯端末であって、
前記電池の残容量を記録する残容量記録手段、
前記残容量記録手段が残容量を記録したときの時刻を記録する時刻記録手段、
前記残容量記録手段と前記時刻記録手段のそれぞれが記録した、前記残容量記録手段が記録した前記電池の残容量と前記時刻記録手段が記録した時刻から前記電池の残容量のグラフを作成するグラフ作成手段、および
前記グラフ作成手段が作成した前記グラフを表示する表示手段を備える、携帯端末。
【請求項２】
前記時刻記録手段が時刻を記録したときの前記携帯端末の状態を記録する状態記録手段をさらに備え、
前記グラフ作成手段は、前記残容量記録手段が記録した前記電池の残容量と前記時刻記録手段が記録した時刻と前記状態記録手段が記録した状態から前記電池の残容量のグラフを作成する、請求項１記載の携帯端末。
【請求項３】
前記時刻記録手段が時刻を記録したときの前記携帯端末の状態を記録する状態記録手段、
前記グラフ上の１点を指定するカーソル、
前記カーソルを操作するカーソル操作手段、および
前記カーソルによって前記グラフ上の１点が指定されたとき、前記状態記録手段によって記録された状態のうち前記カーソルによって指定された前記グラフの１点が示す時刻に対応した状態を表示する状態表示手段をさらに備える、請求項１または２記載の携帯端末。
【請求項４】
前記グラフの表示をするように表示指示を入力する指示入力手段をさらに備え、
前記入力指示手段によって前記表示指示が入力されたとき、前記表示手段は前記グラフを表示する、請求項１ないし３のいずれかに記載の携帯端末。
【請求項５】
前記携帯端末の状態の変化を検出する状態変化検出手段さらに備え、
前記状態変化検出手段によって状態変化が検出されたとき、前記グラフ作成手段は前記グラフを作成し、前記表示手段はそのグラフを表示する、請求項１ないし４のいずれかに記載の携帯端末。
【請求項６】
前記残容量記録手段は、一定時間毎に前記電池の残容量を記録する、請求項１ないし５のいずれかに記載の携帯端末。
【請求項７】
前記残容量記録手段は、前記状態変化検出手段の出力に応じて前記電池の残容量を記録する、請求項１ないし６のいずれかに記載の携帯端末。
【発明の詳細な説明】
【技術分野】
【０００１】
この発明は、携帯端末に関し、特にたとえば電池を電源として備える、携帯端末に関する。
【背景技術】
【０００２】
この種の装置の一例が、特許文献１に開示されている。この背景技術によれば、携帯電話端末は複数の動作モードを有し、ＬＣＤと、充電可能な電池を含む電源回路部と、処理部を含む制御部とを備える。処理部は、電池の残容量を推定することで動作モード毎の動作可能時間を予測する。ＬＣＤには、処理部によって予測された動作モード毎の動作可能時間が表示される。
【特許文献１】特開２００７−２０１７３２号公報［H04M 1/00, H04B 3/38］
【発明の開示】
【発明が解決しようとする課題】
【０００３】
特許文献１の背景技術では、動作モード毎の動作可能時間を表示するため、動作モードが変化すると、動作可能時間も変化する。しかし、一般的な使用者は、１つの動作モードのまま、携帯電話端末を動作可能時間まで動作させることはほとんどない。つまり、携帯電話端末の複数の動作モードを切り替えて使用する使用者は、動作モード毎の動作可能時間を確認しても、実際に携帯電話端末が動作する動作可能時間を即座に知ることはできない。
【０００４】
それゆえに、この発明の主たる目的は、新規な、携帯端末を提供することである。
【０００５】
この発明の他の目的は、使用者が、携帯端末の使用可能時間を直感的に推測することができる、携帯端末を提供することである。
【課題を解決するための手段】
【０００６】
この発明は、上記の課題を解決するために、以下の構成を採用した。なお、括弧内の参照符号および補足説明等は、この発明の理解を助けるために記述する実施形態との対応関係を示したものであって、この発明を何ら限定するものではない。
【０００７】
第１の発明は、電池を電源として用いる携帯端末である。携帯端末は、電池の残容量を記録する残容量記録手段、残容量記録手段が残容量を記録したときの時刻を記録する時刻記録手段、残容量記録手段が記録した電池の残容量と時刻記録手段が記録した時刻から電池の残容量のグラフを作成するグラフ作成手段、およびグラフ作成手段が作成したグラフを表示する表示手段を備える。
【０００８】
第１の発明では、携帯端末（１０）は、電池（３２）を電源として用いる。残容量記録手段（２０，２６，２８，３０，Ｓ３３，Ｓ３９，Ｓ４３）は、電池の残容量を記録する。時刻記録手段（２０，２６，２８，Ｓ３３，Ｓ３９，Ｓ４３）は、残容量記録手段が残容量を記録したときの時刻を記録する。グラフ作成手段（２０，Ｓ７）は、残容量記録手段が記録した電池の残容量と時刻記録手段が記録した時刻から電池の残容量のグラフを作成する。表示手段（２０，２２，５０，Ｓ９）は、グラフ作成手段が作成したグラフを表示する。たとえば、電池は、二次電池であるリチウムイオン電池が採用され、残容量記録手段は、リチウムイオン電池の電圧を計測することで、残容量を百分率で求める。
【０００９】
第１の発明によれば、電池の残容量と時間から残容量の時間的変化を示すグラフが作成される。これによって、使用者は、電池の残容量の時間的変化を視覚的に認識できるようになるため、電池の残容量がなくなるまでの時間を予測することができるようになる。つまり、使用者は、携帯端末の使用可能時間を直感的に推測することができる。
【００１０】
第２の発明は、第１の発明に従属し、時刻記録手段が時刻を記録したときの携帯端末の状態を記録する状態記録手段をさらに備え、グラフ作成手段は、残容量記録手段が記録した電池の残容量と時刻記録手段が記録した時刻と状態記録手段が記録した状態から前記電池の残容量のグラフを作成する。
【００１１】
第２の発明では、状態記録手段（２０，２６，２８，Ｓ３３，Ｓ４１，Ｓ４３）は、時刻記録手段が時刻を記録したときの携帯端末の状態を記録する。そして、グラフ作成手段は、残容量記録手段が記録した電池の残容量と時刻記録手段が記録した時刻と状態記録手段が記録した状態から前記電池の残容量のグラフを作成する。たとえば、状態記録手段は、携帯端末の状態のそれぞれに対応した色情報などを記録する。したがって、通話状態に赤色の情報，メール送信状態に青色の情報が対応付けられていると、表示手段が表示する通話状態のグラフ部分では赤色に表示され、メール送信状態のグラフ部分では青色に表示される。
【００１２】
第２の発明によれば、携帯端末の状態によって表示手段に表示される色情報が異なるため、使用者はグラフを見るだけで、携帯端末の状態の変化と電池算容量の変化とを直感的に把握することができる。
【００１３】
第３の発明は、第１または第２の発明に従属し、携帯端末は、時刻記録手段が時刻を記録したときの携帯端末の状態を記録する状態記録手段、グラフ上の１点を指定するカーソル、カーソルを操作するカーソル操作手段、およびカーソルによってグラフ上の１点が指定されたとき、状態記録手段によって記録された状態のうちカーソルによって指定されたグラフの１点が示す時刻に対応した状態を表示する状態表示手段をさらに備える。
【００１４】
第３の発明では、状態記録手段（２０，２６，２８，Ｓ３３，Ｓ４１，Ｓ４３）は、時刻記録手段が時刻を記録したときの携帯端末の状態を記録する。カーソル（６０）は、グラフ上の１点（６０ａ、６０ｂ，６０ｃ，６０ｄ）を指定する。カーソル操作手段（２４ｆ）は、カーソルを操作する。状態表示手段（２０，２２，５２，Ｓ１７）は、カーソルによってグラフ上の１点が指定されたとき、状態記録手段によって記録された状態のうちカーソルによって指定されたグラフの１点が示す時刻に対応した状態を表示する。たとえば、カーソル操作手段は、キー入力装置に含まれるカーソルキーである。
【００１５】
第３の発明によれば、使用者は、グラフ上の１点を指定することで、電池の残容量の時間的変化が大きい箇所の携帯端末の状態を知ることができる。これによって、使用者は、現時刻の電池の残容量が少ない場合に、消費電力が大きい携帯端末の状態を避けることができる。
【００１６】
第４の発明は、第１の発明ないし第３の発明のいずれかに従属し、グラフの表示をするように表示指示を入力する指示入力手段を備え、指示入力手段によって表示指示が入力されたとき、表示手段はそのグラフを表示する。
【００１７】
第４の発明では、携帯端末は、指示入力手段（２４ｄ，２４ｅ，２４ｇ）は、表示手段がグラフの表示をするように表示指示を発行する。そして、指示入力手段によって表示指示が入力されると、グラフ作成手段は、電池の残容量と時刻から電池の残容量の時間的変化を示すグラフを作成する。さらに、表示手段は、グラフ作成手段が作成した電池の残容量と時刻から電池の残容量の時間的変化を示すグラフを表示する。たとえば、発行手段は、キー入力装置に含まれるグラフ機能キーなどである。そして、使用者は、グラフ機能キーを押圧することで、電池の残容量と時刻から電池の残容量の時間的変化を示すグラフを表示手段に生じさせる。
【００１８】
第４の発明によれば、使用者は、表示指示を発行手段によって任意に発行できる。つまり、電池の残容量と時刻から電池の残容量の時間的変化を示すグラフは、使用者によって任意に表示される。これによって、使用者は、携帯端末の使用可能時間の推測が必要な場合に、電池の残容量と時刻から電池の残容量の時間的変化を示すグラフを確認することができる。
【００１９】
第５の発明は、第１の発明ないし第４の発明のいずれかに従属し、携帯端末の状態の変化を検出する状態変化検出手段さらに備え、状態変化検出手段によって状態変化が検出されたとき、グラフ作成手段はグラフを作成し、表示手段はそのグラフを表示する。
【００２０】
第５の発明では、状態変化検出手段は、携帯端末の状態の変化を検出する。そして、状態変化検出手段によって状態変化が検出されたとき、グラフ作成手段はグラフを作成し、表示手段はそのグラフを表示する。たとえば、待機状態から着信状態に変化すると表示手段は、グラフを表示する。
【００２１】
第５の発明によれば、使用者が意図しない状態変化が起きたとしても、状態変化検出手段によって携帯端末の状態の変化は検出される。つまり、使用者は、携帯端末の状態変化が起きた直後の携帯端末の使用可能時間を直感的に推測することができる。これによって、使用者は、携帯端末の使用可能時間を推測してから、状態変化が起きた後の携帯端末を使用することができる。
【００２２】
第６の発明は、第１の発明ないし第５の発明のいずれかに従属し、残容量記録手段は、一定時間毎に電池の残容量を記録する。
【００２３】
第６の発明では、残容量記憶手段は、一定時間毎に電池の残容量を記録するため、時刻記録手段も併せて、一定時間毎に時刻を記録することになる。たとえば、一定時間が１分間であれば、１分間毎に電池の残容量と時刻が記録される。
【００２４】
第６の発明によれば、一定時間毎に電池の残容量と時刻を記録するため、グラフには、一定時間毎の電池の残容量の時間的変化が詳細に表示される。これによって、使用者は、電池の残容量の時間的変化を正確に認識できるため、携帯端末の使用可能時間をより正確に推測することができる。
【００２５】
第７の発明は、第１の発明ないし第６の発明のいずれかに従属し、残容量記録手段は、状態変化検出手段の出力に応じて電池の残容量を記録する。
【００２６】
第７の発明では、残容量記録手段は、状態変化検出手段の出力に応じて電池の残容量を記録する。つまり、携帯端末の状態が変化すると、残容量記憶手段が電池の残容量を記録するため、時刻記録手段が時間を記録する。また、状態変化検出手段は、充電中から充電完了に変化した場合や、通話中から待機中なった場合に、状態の変化があったとして残容量記録手段に電池の残容量を記録させる。
【００２７】
第７の発明によれば、一定時間以内に、携帯端末の状態の変化が複数回あったとしても、状態変化手段によって検出されるため、残容量記録手段は電池の残容量を記録する。こよれによって、携帯端末の状態の変化に応じた電池の残容量を記録することができる。さらに、電池の残容量の時間的変化を示すグラフの精度は向上する。
【発明の効果】
【００２８】
この発明によれば、使用者は、電池の残容量の時間的変化を視覚的に認識できるようになるため、電池の残容量がなくなるまでの時間を予測することができるようになる。これによって、使用者は、携帯端末の使用可能時間を直感的に推測することができる。
【００２９】
この発明の上述の目的、その他の目的、特徴および利点は、図面を参照して行う以下の実施例の詳細な説明から一層明らかとなろう。
【発明を実施するための最良の形態】
【００３０】
図１を参照して、携帯端末１０は、二次電池であるリチウムイオン電池３２の電圧に基づく電源をシステム全体に供給する電源回路３４を含む。また、電源回路３４が二次電池であるリチウムイオン電池３２の電圧に基づく電源をシステム全体に供給している場合には、電源オン状態と呼ぶことにする。同様に、電源回路３４が二次電池であるリチウムイオン電池３２の電圧に基づく電源をシステム全体に供給していない場合には、電源オフ状態と呼ぶことにする。電源回路３４は、電源オフ状態で、キー入力装置２４に含まれる電源キー２４ａが１秒の間、押圧され続けると起動され、電源オフ状態で、キー入力装置２４に含まれる電源キー２４ａが１秒の間、押圧され続けると停止される。さらに、電源オフ状態であっても、電源回路３４は、リチウムイオン電池３２の充電に応答して起動され、リチウムイオン電池３２の充電が完了するのに応答して停止される。また、充電とは、リチウムイオン電池３２が図示しない外部充電器から電流の供給を受けることで、電気エネルギーを蓄えることを言う。つまり、充電を行う間、つまり充電中は、電源回路３２が動作し続ける。
【００３１】
電池残容量検出回路３０は、リチウムイオン電池３２の電圧を計測し、電池残容量を百分率で求める。そして、電池残容量検出回路３０は、リチウムイオン電池３２の電池残容量を求めることで、リチウムイオン電池３２の充電を制御する。
【００３２】
キー入力装置２４に含まれる数字キー２４ｂおよび通話キー２４ｃによって発呼操作が行われると、ＣＰＵ２０は、ＣＤＭＡ方式に対応する無線通信回路１４を制御して発呼信号を出力する。出力された発呼信号は、アンテナ１２から送出され、基地局を含む移動通信網を経て通話相手の電話機に送信される。通話相手が着呼操作を行うと、通話可能状態が確立される。
【００３３】
通話可能状態に移行した後にキー入力装置２４に含まれる終話キー２４ｄが押圧されると、ＣＰＵ２０は、無線通信回路１４を制御して、通話相手に通話終了信号を送信する。通話終了信号の送信後、ＣＰＵ２０は、通話処理を終了する。先に通話相手から通話終了信号を受信した場合も、ＣＰＵ２０は、通話処理を終了する。また、通話相手によらず、移動通信網から通話終了信号を受信した場合も、ＣＰＵ２０は通話処理を終了する。
【００３４】
携帯端末１０のシステム全体が動作している状態で通話相手からの発呼信号がアンテナ１２によって捉えられると、無線通信回路１４は、着信をＣＰＵ２０に通知する。ＣＰＵ２０は、着信通知に記述された発信元情報をＬＣＤモニタ２２から出力し、図示しない着信通知用のスピーカから着信音を出力する。キー入力装置２４によって着呼操作が行われると、通話可能状態が確立される。
【００３５】
通話可能状態では、次のような処理が実行される。通話相手から送られてきた変調音声信号（高周波信号）は、アンテナ１２によって受信される。受信された変調音声信号は、無線通信回路１４によって復調処理および復号処理を施される。これによって得られた受話音声信号は、スピーカ１８から出力される。マイクロフォン１６によって取り込まれた送話音声信号は、無線通信回路１４によって符号化処理および変調処理を施される。これによって生成された変調音声信号は、上述と同様、アンテナ１２を利用して通話相手に送信される。
【００３６】
図２は、状態記録テーブルを示す図解図である。ここで、状態記録テーブルには、或る時間に計測された電池残容量および携帯端末１０の状態が記録される。図２を参照して、時刻の欄には、計測した時刻が記録される。たとえば、「２００７／１０／０２／１０：００」であれば、２００７年１０月２日の１０時に、電池残容量および携帯端末１０の状態を記録したことを意味する。電池残容量の欄には、時刻の欄に記録された時刻に計測されたリチウムイオン電池３２の電池残容量が記録される。たとえば、「９８％」であれば、リチウムイオン電池３２の電池残容量が９８％であることを意味する。
【００３７】
状態の欄には、時刻の欄に記録された時刻における携帯端末１０の状態を記録する。たとえば、リチウムイオン電池３２が充電中であれば、携帯端末１０の状態は「充電中」となり、リチウムイオン電池３２の充電が完了していれば、携帯端末１０の状態は「充電完了」となり、携帯端末１０が操作されず、リチウムイオン電池３２の充電も行われていなければ、「待機中」となる。また、電子メールを送信していれば、携帯端末１０の状態は「電子メール送信中」となり、通話を行っていれば、携帯端末１０の状態は「通話中」となり、電子メールを受信していれば、携帯端末１０の状態は「電子メール受信中」となる。
【００３８】
したがって、状態記録テーブルからは、時刻の欄に記録された時刻における電池残容量および携帯端末１０の状態を読み取ることができる。たとえば、時刻の欄に２００７／１０／０２／１０：００、電池残容量の欄に９８％、状態の欄に電子メール送信中が記録されていれば、携帯端末１０は、２００７年１０月２日の１０時に、電池残容量が９８％であり、電子メールが送信されていたことが分かる。また、時刻の欄に２００７／１０／０２／１４：３０、電池残容量の欄に４０％、状態の欄に待機中が記録されていれば、携帯端末１０は、２００７年１０月２日の１４時３０分に、電池残容量が４０％であり、待機中であったことがわかる。
【００３９】
また、状態記録テーブルには、一定時間毎、または携帯端末１０の状態が変化した場合に、時刻，電池残容量，携帯端末１０の状態が記録される。なお、本実施例では、状態記録テーブルは、１分間毎に時刻，電池残容量および携帯端末１０の状態が記録されるが、記録する時間間隔は、１分以上であってもよいし、１分未満の短い時間であってもよい。
【００４０】
図３（Ａ），（Ｂ），（Ｃ），（Ｄ）は、電池残容量グラフ表示機能によって状態記録テーブルのデータを電池残容量グラフとして、ＬＣＤモニタ２２に表示した場合の表示例である。図３（Ａ）を参照して、ＬＣＤモニタ２２には、グラフ表示領域５０および状態表示領域５２が表示される。グラフ表示領域５０には、横軸５４，縦軸５６，線５８ａ，カーソル６０およびポイント６２ａが含まれる。横軸５４は、時間軸を表し、右端は電池残容量グラフ表示機能を実行した時刻、すなわち現時刻を表し、左端は現時刻から６時間前を表す。そして、左端から右端にかけて１時間毎に目盛りが設けられる。縦軸５６は、電池残容量を表し、上端がリチウムイオン電池３２の電池残容量が最大値を意味する１００％の状態を表し、下端がリチウムイオン電池３２の電池残容量が最低値を意味する０％の状態を表す。そして、上端と下端との中央に５０％を示す目盛りが設けられる。線５８ａは、リチウムイオン電池３２の電池残容量の時間的変化を示す線である。
【００４１】
つまり、線５８ａの横方向は電池残容量を記録した時刻に対応し、線５８ａの縦方向は電池残容量の値に対応する。すなわち、電池残容量グラフは、横軸５４，縦軸５６および線５８ａによって表される。そして、使用者は、リチウムイオン電池３２の電池残容量の時間的変化を認識できるため、今後のリチウムイオン電池３２の電池残容量が０％になるまでの時間を予測することができるようになる。これによって、使用者は、携帯端末１０の使用可能時間を直感的に推測することができる。たとえば、図３（Ａ）に示される電池残容量グラフからは、６時間かけてリチウムイオン電池３２に電池残容量が１００％から５０％以下まで減少していることを読み取ることができる。つまり、６時間前までと同じ状態で携帯端末１０を使用し続ける場合には、今後６時間以内にリチウムイオン電池３２の電池残容量が０％になることが推測される。
【００４２】
ここで、電池残容量グラフは、図１に示すキー入力装置２４に含まれるグラフ機能キー２４ｅが押圧されることでＬＣＤモニタ２２に表示される。つまり、電池残容量グラフは、使用者によって任意に表示される。これによって、使用者は、携帯端末１０の使用可能時間の推測が必要な場合に、電池残容量グラフを確認することができる。また、先述したとおり、状態記録テーブルには、１分間毎または携帯端末１０の状態が変化する場合に、時刻のデータ，電池残容量のデータ，携帯端末１０の状態のデータが記録される。つまり、電池残容量グラフは、１分間毎のリチウムイオン電池３２の電池残容量の時間的変化、および携帯端末１０の状態の変化が検出された場合のリチウムイオン電池３２の電池残容量の変化が表示される。したがって、使用者は、リチウムイオン電池３２の電池残容量の時間的変化を正確に認識できるため、携帯端末１０の使用可能時間をより正確に推測することができる。そして、１分間以内に、携帯端末１０の状態が複数回の変化をしたとしても、リチウムイオン電池３２の電池残容量は記録される。つまり、状態記録テーブルには、携帯端末１０の状態の変化に応じたリチウムイオン電池３２の電池残容量が記録され、電池残容量グラフの精度も向上する。
【００４３】
カーソル６０は、図１に示すキー入力装置２４に含まれるカーソルキー２４ｆに行われた操作に対応して動作する。本実施例では、カーソル６０は、横軸方向に移動させることが可能であり、線５８ａと交わるように表示される。なお、カーソル６０の操作のためにカーソルキー２４ｆを特別に設ける必要はなく、携帯端末１０に既存する図示しない操作キーなどを用いてもよい。
【００４４】
ここで、カーソル６０および線５８ａが交わる点をポイント６２ａと呼ぶことにする。また、使用者によってカーソル６０が任意に移動できるため、ポイント６２ａは、カーソル６０の移動に合わせて移動する。つまり、使用者は、カーソル６０を横軸方向に移動させることで、電池残容量グラフ上の任意の点をポイント６２ａとして指定することができる。そして、ポイント６２ａによってグラフ上の一点が指定されると、ポイント６２ａが示す時間の携帯端末１０の状態が、状態表示領域５２に表示される。たとえば、ポイント６２ａの位置は、約３時間前にリチウムイオン電池３２の電池残容量が約７５％であったことが分かる。そして、状態表示領域５２に「通話中」と表示されるため、約３時間前に携帯端末１０は、通話中であったことが分かる。また、ポイント６２ａにおける、線５８ａの傾きが大きいことから、通話中の消費電力が大きいことが分かる。これによって、使用者は、現時刻の電池残容量が少ない場合に、消費電力が大きい携帯端末１０の状態を避けることができる。
【００４５】
図３（Ｂ）を参照して、図３（Ｂ）の表示例は、図３（Ａ）のカーソル６０を約３時間前から約１時間前に移動させた場合の表示例である。よって、グラフ表示領域５０，横軸５４，縦軸５６，線５８ａおよびカーソル６０の詳細な説明は省略する。また、線５８ａおよび約１時間前を示すカーソル６０の交点は、ポイント６２ｂと呼ぶことにする。ポイント６２ｂは、ポイント６２ａと同様にして、カーソル６０の移動に合わせて移動する。ここで、ポイント６２ｂは、約１時間前にリチウムイオン電池３２の電池残容量が５０％以下であったことを示す。さらに、状態表示領域５２に「待機中」と表示されているため、約１時間前の携帯端末１０の状態は、待機中であったことが分かる。そして、ポイント６２ｂにおける、線５８ａの傾きが小さいことから、待機中の消費電力が小さいことが分かる。
【００４６】
図３（Ｃ）を参照して、図３（Ｃ）の表示例は、図３（Ａ），（Ｂ）の時刻と別の時刻に電池残容量グラフを表示した表示例であるため、グラフ表示領域５０，横軸５４，縦軸５６，およびカーソル６０の詳細な説明は省略する。線５８ｂは、電池残容量の時間的変化を示す線である。線５８ｂおよびカーソル６０の交点は、ポイント６２ｃとなる。ポイント６２ｃは、約１時間前に電池残容量が約７５％であることを示し、状態表示領域５２には、「充電中」と表示される。また、図３（Ａ），（Ｂ）の時刻と別の時刻では、リチウムイオン電池３２の電池残容量は１００％であることが分かる。そして、電池残容量の約６０％を充電するのに必要な時間が約３時間であることも分かる。
【００４７】
図３（Ｄ）を参照して、図３（Ｄ）の表示例は、図３（Ｃ）の時刻から数年後の時刻に電池残容量グラフを表示した表示例である。グラフ表示領域５０，横軸５４，縦軸５６，およびカーソル６０の説明は図３（Ａ）と同じであるため、詳細な説明は省略する。線５８ｃは、電池残容量の時間的変化を示す線である。また、線５８ｃおよびカーソル６０の交点はポイント６２ｄとなる。ポイント６２ｄは、約１時間前に電池残容量が約６０％であることを示し、状態表示領域５２に「充電中」が表示される。そして、図３（Ｃ）の時刻から数年後の時刻では、リチウムイオン電池３２の電池残容量は約７５％であることが分かる。
【００４８】
なお、線５８ａ，線５８ｂおよび線５８ｃを区別する必要がない場合には、線５８と呼ぶことにする。同様に、ポイント６２ａ，ポイント６２ｂ，ポイント６２ｃおよびポイント６２ｄを区別する必要がない場合には、ポイント６２と呼ぶことにする。
【００４９】
ここで、図３（Ｃ）および図３（Ｄ）の電池残容量グラフを比較する。まず、ポイント６２ｃおよびポイント６２ｄは、ともに約１時間前を示すが、ポイント６２ｃにおける線５８ｂの傾きと、ポイント６２ｄにおける線５８ｃの傾きとでは角度が違っている。そして、図３（Ｃ）および図３（Ｄ）では、どちらも約３時間前には、電池残容量が約３０％であり、線５８ｂおよび線５８ｃの変化から充電が始まったのが約３時間前であると分かる。ところが、電池残容量がほぼ同じ状態で充電を開始ににもかかわらず、充電を始めてから約３時間後の電池残容量の値が違っている。図３（Ｃ）では電池残容量は約１００％であるが、図３（Ｄ）では、電池残容量は約７５％である。つまり、図３（Ｃ）における時刻のリチウムイオン電池３２に対して、数年後の時刻である図３（Ｄ）のリチウムイオン電池３２は、劣化していることが分かる。
【００５０】
これによって、状態が充電中である場合の線５８の傾きが小さいと、リチウムイオン電池３２が劣化していると推測することができる。
【００５１】
図４は、ＲＡＭ２８のメモリマップを示す図解図である。図４を参照して、ＲＡＭ２８のメモリマップには、プログラム記憶領域７０，データ記憶領域７２を含む。プログラム記憶領域７０は、携帯端末１０を動作させるためのプログラムなどを記憶する。携帯端末１０を動作させるためのプログラムは、電池残容量グラフ表示プログラム７０ａおよび状態記録テーブルの記録処理プログラム７０ｂなどによって構成される。電池残容量グラフ表示プログラム７０ａは、図３（Ａ），（Ｂ），（Ｃ），（Ｄ）によって示される電池残容量グラフを表示するためのプログラムであり、状態記録テーブルのそれぞれの欄に記録されたデータを読み出し、ＬＣＤモニタ２２に表示する。状態記録テーブルの記録処理プログラム７０ｂは、図２に示す状態記録テーブルの各欄に記録されるデータを記録するためのプログラムである。
【００５２】
データ記憶領域７２は、状態記録テーブルデータ７２ａおよび画像データ７２ｂが記憶される。また、タイマーカウンタ７２ｃおよび状態変化フラグ７２ｄが設けられるとともに、カーソル位置レジスタ７２ｅ，時刻レジスタ７２ｆ，電池残容量レジスタ７２ｇおよび状態レジスタ７２ｈが設けられる。
【００５３】
状態記録テーブルデータ７２ａは、時刻データ８０，電池残容量データ８２および状態データ８４によって構成される。また、状態記録テーブルデータ７０ａを構成するデータは、図２に示す状態記録テーブルの各欄に記録されたデータである。したがって、図２および図４を参照して、時刻データ８０は、状態記録テーブルの時刻の欄に記録されるデータである。電池残容量データ８２は、状態記録テーブルの電池残容量の欄に記録されるデータである。状態データ８４は、状態記録テーブルの状態の欄に記録されるデータである。なお、ＲＡＭ２８に記録されるデータは、電源オフ状態になると消える。そのため、電源オフ状態になる操作または処理が行われると、データ記憶領域７２に保存されたデータは、フラッシュメモリ２６に保存される。画像データ７２ｂは、図３（Ａ），（Ｂ），（Ｃ），（Ｄ）に示す電池残容量グラフの画像や、待機中にＬＣＤモニタ２２に表示する画像などが記録される。
【００５４】
タイマーカウンタ７２ｃは、時刻データ８０，電池残容量データ８２および状態データ８４を記録する時間間隔をカウントするためのカウンタである。この実施例では、時間間隔は、１分間に設定される。状態変化フラグ７２ｄは、携帯端末１０の状態が変化したか否かを判定するためのフラグである。たとえば、状態変化フラグ７２ｄは、１ビットのレジスタで構成される。状態変化フラグ７２ｄが成立（オン）されると、レジスタにはデータ値「１」が設定され、状態変化フラグ７２ｄが不成立（オフ）されると、レジスタ値「０」が設定される。この実施例では、携帯端末１０の状態が、通話中から待機中など変化する場合に、状態変化フラグ７２ｄはオンされ、携帯端末１０の状態が状態記録テーブルに記録される場合に、状態変化フラグ７２ｄはオフされる。
【００５５】
カーソル位置レジスタ７２ｅは、カーソル６０位置、すわたちカーソル６０で示した、時間軸の時刻を記録するレジスタである。そして、ポイント６２で示す時刻の携帯端末１０の状態が状態表示領域５２に表示される場合に、カーソル位置レジスタ７２ｅに記録された時刻が読み出される。時刻レジスタ７２ｆは、時刻を記録した結果が一時的に記録されるレジスタである。電池残容量レジスタ７２ｇは、リチウムイオン電池３２の電池残容量を計測した結果が一時的に記録されるレジスタである。状態レジスタ７２ｈは、携帯端末１０の状態を記録する場合に、携帯端末１０の状態が一時的に記録されるレジスタである。
【００５６】
図示は省略するが、データ記憶領域７２には、電子メールデータのような他のデータが記憶されるとともに、携帯端末１０の動作に必要な他のカウンタやフラグも設けられる。
【００５７】
具体的には、ＣＰＵ２０は、μＩＴＲＯＮやＳｙｍｂｉａｎなどのマルチタスクＯＳの制御下で、図５示す電池残容量グラフ表示処理および図６に示す状態記録テーブルの記録処理などを含む複数のタスクを実行する。まず、電池残容量グラフ表示処理について説明する。図５を参照して、ステップＳ１では、電池残容量グラフの表示操作が行われたか否かを判定する。電池残容量グラフの表示操作は、たとえば、使用者がキー入力装置２４に含まれるグラフ機能キー２４ｅが押圧される操作である。また、携帯端末１０の状態が通話中である場合に、通話を終了する終話キー２４ｄが押圧される操作でもよい。さらに、携帯端末１０の機能（電子メール送信機能や、電子メール受信機能など）が使用中である場合に、携帯端末１０の機能を終了させる機能終了キー２４ｇが押圧される動作であってもよい。
【００５８】
ステップＳ１でＮＯであれば、すなわち電池残容量グラフの表示操作が行われなければ、再びステップＳ１の判定処理を行う。一方、ステップＳ１でＹＥＳであれば、すなわち電池残容量グラフの表示操作が行われれば、ステップＳ３でＲＡＭ２８内の状態記録テーブルに６時間分のデータが記録されているか否かを判定する。つまり、ＲＡＭ２８内の状態記録テーブルデータ７２ａに記録されているデータが、現時刻から６時間前までのデータが記録されているか否かを判定する。先述したとおり、電源オフ状態になると、ＲＡＭ２８に記録されているデータは全て消える。よって、状態記録テーブル７２ａに記録されているデータが、現時刻から６時間前までのデータが記憶されていない場合に、足りていないデータをフラッシュメモリ２６から読み出すようにする。ここで、ステップＳ３でＮＯであれば、ステップＳ５でＲＡＭ２８内の状態記録テーブルに、足りていないデータをフラッシュメモリ２６から取り込む。すなわち、状態記録テーブルデータ７２ａに記録されるデータが、現時刻に対して６時間前までのデータが記録されるように、フラッシュメモリ２６に保存される状態記録テーブルのデータを取り込む。そして、ステップＳ５の処理が終了するとステップＳ７に進む。
【００５９】
一方、ステップＳ３でＹＥＳであれば、すなわち、ＲＡＭ２８内の状態記録テーブルに現時刻に対して６時間前までのデータが記録されていれば、ステップＳ７で、電池残容量表示機能の呼び出しを行う。すなわち、電池残容量グラフ表示機能を実行することで、ＲＡＭ２８内の状態記録テーブルデータ７２ａから時刻データ８０，電池残容量データ８２および状態データ８４を読み出す。次のステップＳ９では、ＬＣＤモニタ２２に電池残容量グラフの表示を行う。つまり、ステップＳ７で読み出した時刻データ８０，電池残容量データ８２および状態データ８４に基づいて、図３（Ａ），（Ｂ），（Ｃ），（Ｄ）に示すような表示例をＬＣＤモニタ２２に表示する。
【００６０】
次のステップＳ１１では、キー操作がされたか否かを判定する。たとえば、キー入力装置２４が、使用者によって操作されたか否かを判定する。ここで、ステップＳ１１でＮＯであれば、キー操作が行われるまでステップＳ１１の判定を行う。一方、ステップＳ１１でＹＥＳであれば、つまりキー操作が行われれば、ステップＳ１３でグラフ上のポイント６２を指定したか否かを判定する。つまり、カーソルキー２４ｆが使用者によって操作され、カーソル６０が線５８との交点をポイント６２として指定したか否かを判定する。ステップＳ１３でＹＥＳであれば、ステップＳ１５で指定したポイントの時刻に基づいて状態データ８４を参照する。つまり、カーソル位置レジスタ７２ｅから時刻を読み出し、その読み出した時刻に対応する状態データ８４を参照する。次のステップＳ１７では、参照した状態データ８４をＬＣＤモニタ２２に表示する。つまり、ステップＳ１５の処理で得た、状態データ８４を状態表示領域５２に表示する。そして、ＣＰＵ２０は、ステップＳ１７の処理を終えるとステップＳ１９に進む。
【００６１】
ここで、ステップＳ１３でＮＯであれば、つまり使用者はキー操作を行ったが、グラフ上のポイント６２を指定していなければ、ステップＳ１９で表示終了操作がされたか否かを判定する。つまり、ステップＳ１１でされたキー操作が、電池残容量グラフの表示を終了させるための操作などであったか否かを判定する。たとえば、電池残容量グラフの表示を終了させるための操作は、電池残容量グラフがＬＣＤモニタ２２に表示されている状態で、グラフ機能キー２４ｅが押圧される操作である。ステップＳ１９でＮＯであれば、ステップＳ１１に戻る。一方、ステップＳ１９でＹＥＳであれば、ステップＳ２１でＬＣＤモニタ２２に表示した電池残容量グラフを消去する。たとえば、ＬＣＤモニタ２２は、電池残容量グラフの表示を消し、代わりに携帯端末１０の待機中で表示する画像などを表示する。そして、ステップＳ２１の処理が終了すると、ステップＳ１に戻る。
【００６２】
次に状態記録テーブルの記録処理について説明する。図６を参照して、ステップＳ３１では、電源をオフにする操作がされたか否かを判定する。たとえば、使用者によって携帯端末１０の電源をオフにする操作がされたか否かを判定する。ステップＳ３１で、ＮＯであれば、ステップＳ３５で状態が変化したか否かを判定する。つまり、携帯端末１０の状態が変化したか否かを判定する。さらに、本実施例では、携帯端末１０の状態の変化の判定は、状態変化フラグ７２ｄの状態によって判定される。
【００６３】
ここで、ステップＳ３５でＹＥＳであれば、つまりが携帯端末１０の状態が変化すれば、ステップＳ３９で現在の時刻および電池残容量をレジスタに記録する。つまり、現在の時刻を時刻レジスタ７２ｆに記録し、併せてリチウムイオン電池３２の電池残容量を計測した結果を電池残容量レジスタ７２ｇに記録する。
【００６４】
次のステップＳ４１では、携帯端末１０の状態をレジスタに記録する。つまり、携帯端末１０の状態が変化した後の携帯端末１０の状態を状態レジスタ７４ｃに記録する。次のステップＳ４３では、レジスタのデータをＲＡＭ２８内の状態記録テーブルに一時記録する。つまり、時刻レジスタ７２ｆ，電池残容量レジスタ７２ｇおよび状態レジスタ７２ｈのそれぞれに記録されたデータを状態記録テーブルデータ７２ａの時刻データ８０，電池残容量データ８２および状態データ８４に記録し、状態変化フラグ７２ｄはオフに設定される。そして、ステップＳ４３の処理が終了すれば、ステップＳ３１に戻る。
【００６５】
ここで、ステップＳ３５でＮＯであれば、すなわち状態が変化しなければ、ステップＳ３７でタイマー設定時間になったか否かを判定する。本実施例では、タイマー設定時間は１分であるため、前回の状態記録テーブルに記録（ステップＳ４３の処理）をした時刻から１分が経過したか否かを判定する。ここで、ステップＳ３７でＹＥＳであれば、ステップＳ３９−Ｓ４３の処理を行う。一方、ＮＯであれば、ステップＳ１に戻る。また、ステップＳ３１でＹＥＳであれば、つまり電源をオフにする操作がされれば、ステップＳ３３でフラッシュメモリ２６内の状態記録テーブルに、一時記録されたＲＡＭ２８内のデータを追記する。つまり、電源オフ状態では、ＲＡＭ２８内のデータが消えるため、ＲＡＭ２８のデータをフラッシュメモリ２６に移す必要がある。ステップＳ３３の処理が終了すると、状態記録テーブルの記録処理は終了する。
【００６６】
以上の説明から分かるように、携帯端末１０は、リチウムイオン電池３２を含む。電池残容量検出回路３０は、そのリチウムイオン電池３２の電圧から電池残容量を求め、電池残容量データ８２としてＲＡＭ２８に記録する。併せて、リチウムイオン電池３２の電池残容量を計測したときの時刻を時刻データ８０、リチウムイオン電池３２の電池残容量を計測したときの携帯端末１０の状態を状態データ８４としてＲＡＭ２８に記録する。記録された電池残容量データ８２，時刻データ８０および状態データ８４は、電池残容量の時間的変化を示すグラフとして作成され、ＬＣＤモニタ２２に表示される。また、カーソル６０によってグラフ上のポイント６２を指定することで、ポイント６２で指定する時刻の携帯端末１０の状態を状態表示領域５２に表示する。
【００６７】
これによって、使用者はリチウムイオン電池３２の電池残容量の時間的変化を視覚的に認識できるようになる。つまり、使用者は、今後のリチウムイオン電池３２の電池残容量が０％になるまでの時間を予測することができるようになる。したがって、使用者は、携帯端末１０の使用可能時間を直感的に推測することができる。
【００６８】
なお、他の実施例として、ステップＳ３５の処理で携帯端末１０の状態変化が検出されるのに併せて、ＬＣＤモニタ２２に電池残容量グラフが表示されるようにしてもよい。たとえば、図２に示す状態記録テーブルにおいて、２００７年１０月２日の１３時に待機中であり、２００７年１０月２日の１３時１分に着信中となった場合に、使用者が意図しない携帯端末１０の状態変化が起きたとしても、使用者は、携帯端末１０が着信中になった直後の携帯端末１０の使用可能時間を直感的に推測することができるようになる。これによって、使用者は、着信中の携帯端末１０の使用可能時間を推測してから、通話中に状態を変化させるか否かの判断をすることができる。また、自動的に機能を終了させるタイマー機能によって、携帯端末１０の状態が変化することが考えられる。たとえば、ワンセグＴＶ機能やＦＭラジオ機能などは、消費電力が大きいため、一定時間（たとえば、２時間）が過ぎると自動的に終了する。これによって、携帯端末１０の状態はワンセグＴＶ機能（またはＦＭラジオ機能）の「視聴中」から待機中に変化することがある。なお、電池算容量グラフは、ステップＳ３５の処理で携帯端末１０の状態変化が検出に併せて作成されてもよいし、一定時間（たとえば、１分間）毎に作成されてもよい。
【００６９】
また、その他の実施例として、ステップＳ４３の処理で状態レジスタ７４ｃに携帯端末１０の状態を記録するときに、携帯端末１０の状態のそれぞれに対応した色情報も、併せて記録してもよい。これによって、携帯端末１０の状態に対応した色情報に基づいて電池残容量グラフを表示すると、使用者は線５８（図３参照）を見るだけで、リチウムイオン電池３２の電池残容量の時間的変化に併せて、携帯端末１０の状態の変化も把握することができる。たとえば、図７を参照して、通話中に付与される色情報を赤色（一点鎖線）、待機中に付与される色情報を青色（太い実線）とする場合に、線５８ｄの色が赤色（一点鎖線）から青色（太い実線）に変化していれば、使用者は線５８の色の変化から携帯端末１０の状態が通話中から待機中に変化したことを把握することができる。なお、色情報だけに限らず、線５８の太さや表示形式（たとえば、実線や破線など）などであってもよい。
【００７０】
さらに、本実施例は、携帯端末１０の通信方式には、ＣＤＭＡ方式だけに限らず、ＰＨＳ方式，ＴＤＭＡ方式，Ｗ‐ＣＤＭＡ方式でもよいことは言うまでもない。また、リチウムイオン電池３２の電池残容量は、電池残容量検出回路３０によって充電と放電との電流値，そのリチウムイオン電池３２の温度，常放電サイクル数を計測され、リチウムイオン電池３２の劣化度合いを考慮して求められてもよい。また、携帯電話などの端末だけに限らず、携帯型ゲーム機，携帯型音楽プレイヤおよびＰＤＡなどの電池を電源として採用する携帯端末１０であってもよい。また、二次電池としてリチウムイオン電池３２を採用したが、鉛蓄電池，ニッケル水素電池，ナトリウムイオン電池，金属空気電池および亜鉛臭素電池などであってもよい。さらに、二次電池だけに限らず、燃料電池や、一次電池であるマンガン電池などでもよい。
【図面の簡単な説明】
【００７１】
【図１】図１は第１実施例の発明の一実施例の携帯端末を示すブロック図である。
【図２】図２は図１に示すフラッシュメモリおよびＲＡＭに記憶される状態記録テーブルの一例を示す図解図である。
【図３】図３（Ａ）は図１に示すＬＣＤモニタに表示される電池残容量グラフの一例を示す図解図であり、図３（Ｂ）は図１に示すＬＣＤモニタに表示される電池残容量グラフの他の一例を示す図解図であり、図３（Ｃ）は図１に示すＬＣＤモニタに表示される電池残容量グラフのその他の一例を示す図解図であり、図３（Ｄ）は図１に示すＬＣＤモニタに表示される電池残容量グラフのさらにその他の一例を示す図解図である。
【図４】図４は図１に示すＲＡＭのメモリマップの一例を示す図解図である。
【図５】図５は図１の携帯端末のＣＰＵによって実行される電池残容量グラフ表示処理の動作を示すフロー図である。
【図６】図６は図１の携帯端末のＣＰＵによって実行される状態記録テーブルの記録処理の動作を示すフロー図である。
【図７】図７は図１に示すＬＣＤモニタに表示される電池残容量グラフの他の一例を示す図解図である。
【符号の説明】
【００７２】
１０    …  携帯端末
２０    …  ＣＰＵ
２２    …  ＬＣＤモニタ
２４    …  キー入力装置
２４ａ    …  電源キー
２４ｂ    …  数字キー
２４ｃ    …  通話キー
２４ｄ    …  終話キー
２４ｅ    …  グラフ機能キー
２４ｆ    …  カーソルキー
２４ｇ    …  機能終了キー
２６    …  フラッシュメモリ
２８    …  ＲＡＭ
３０    …  電池残容量検出回路
３２    …  リチウムイオン電池
５０    …  グラフ表示領域
５２    …  状態表示領域
５４    …  横軸
５６    …  縦軸
５８ａ，５８ｂ，５８ｃ，５８ｄ    …  線
６０    …  カーソル
６２ａ，６２ｂ，６２ｃ，６２ｄ    …  ポイント
７２ａ    …  状態記録テーブルデータ
７２ｂ    …  画像データ
７２ｃ    …  タイマーカウンタ
７２ｄ    …  状態変化フラグ
７２ｅ    …  カーソル位置レジスタ
７２ｆ    …  時刻レジスタ
７２ｇ    …  電池残容量レジスタ
７２ｈ    …  状態レジスタ
８０    …  時刻データ
８２    …  電池残容量データ
８４    …  状態データ
【図１】
2009112170.tif 000003
【図２】
2009112170.tif 000004
【図３】
2009112170.tif 000005
【図４】
2009112170.tif 000006
【図５】
2009112170.tif 000007
【図６】
2009112170.tif 000008
【図７】
2009112170.tif 000009